(57)【特許請求の範囲】
【請求項１】
防水パンの立上げ部の一部を切欠いて、この切欠き部に建具の枠体を臨ませ、当該切欠き部と縦枠の下端部との間をシールする建具の防水パンへの取付構造において、
前記切欠き部の側部切欠き端と前記縦枠の下端部背面との間をシールするシールブロックを備え、
前記シールブロックは、前記縦枠の下端部背面に密着する縦枠側密着面と、前記切欠き部の切欠き縁部に密着するパン側密着面とを有していることを特徴とする建具の防水パンへの取付構造。
【請求項２】
前記縦枠側密着面と前記縦枠の下端部背面との間、および前記パン側密着面と前記防水パンの切欠き縁部との間には、粘着剤付きのシール板が介在していることを特徴とする請求項１に記載の建具の防水パンへの取付構造。
【請求項３】
前記シールブロックは、前記縦枠および前記防水パンにねじ止めされていることを特徴とする請求項１または２に記載の建具の防水パンへの取付構造。
【請求項４】
前記縦枠の浴室側部分には、前記防水パンに載り且つ背面側に「Ｕ」字状に屈曲した補強部が一体に形成され、
前記シールブロックは、前記補強部に嵌合可能に構成されていることを特徴とする請求項１、２または３に記載の建具の防水パンへの取付構造。
【請求項５】
前記防水パンには、前記下枠を下側から支持する荷重受ブラケットが固定されていることを特徴とする請求項１ないし４のいずれかに記載の建具の防水パンへの取付構造。
【発明の詳細な説明】
【０００１】
【発明の属する技術分野】
本発明は、防水パンの立上げ部の一部を切欠いた切欠き部と、これに臨む建具の縦枠の下端部との間をシールする建具の防水パンへの取付構造に関するものである。
【０００２】
【従来の技術】
従来、この種の建具の防水パンへの取付構造として、例えば特開平８−１７７２５１号公報に記載のものが知られている。この取付構造では、防水パンの立上げ部を切欠いた切欠き部に、外側からシールブロックを当てがい、建具の下枠が臨む部分を外側から囲ってこの部分全体を一括してシールするようにしている。この場合、シールブロックは、防水パンの切欠き部の両側端とその中間部分とに位置して、防水パンに一体に形成したリブ状の支持プレート部に支持されており、その前面を防水パンの切欠き端部に密着し、且つ両側端面を両側の支持プレート部に密着することで、切欠き部廻りをシールしている。
【０００３】
【発明が解決しようとする課題】
このような従来の取付構造では、シールブロックを支持する為の支持プレート部を、予め防水パンに一体に形成しておく必要があり、建具の設置位置に対する防水パンの汎用性が損なわれると共に、防水パンの構造が複雑になる問題があった。また、シールブロックが防水パンの外側に取り付けられているため、建具の下枠や縦枠から漏れた排水が、シールブロックの上に溜まってしまう問題があった。
【０００４】
本発明は、簡単な構造で、防水パンの切欠き部と縦枠の下端部との間を、確実にシールすることができる建具の防水パンへの取付構造を提供することをその目的としている。
【０００５】
【課題を解決するための手段】
本発明の建具の防水パンへの取付構造は、防水パンの立上げ部の一部を切欠いて、この切欠き部に建具の枠体を臨ませ、切欠き部と縦枠の下端部との間をシールする建具の防水パンへの取付構造において、切欠き部の側部切欠き端と縦枠の下端部背面との間をシールするシールブロックを備え、シールブロックは、縦枠の下端部背面に密着する縦枠側密着面と、切欠き部の切欠き縁部に密着するパン側密着面とを有していることを特徴とする。
【０００６】
この構成によれば、シールブロックが、その縦枠側密着面で縦枠の下端部背面に密着し、そのパン側密着面で防水パンの切欠き縁部に密着するため、切欠き部の側部切欠き端と縦枠の下端部背面との間において、比較的広い面積でシールを行うことができる。またこれにより、切欠き部の側部切欠き端と縦枠の下端部背面との間に生ずる間隙の広狭に関わらず、この部分を確実にシールすることができる。
【０００７】
この場合、縦枠側密着面と縦枠の下端部背面との間、およびパン側密着面と防水パンの切欠き縁部との間には、粘着剤付きのシール板が介在していることが、好ましい。
【０００８】
この構成によれば、縦枠側および防水パン側に対し、シールブロックの密着力を高めることができ、縦枠や防水パンの微小な撓みや振動に対しても、シール性が損なわれることがなく、且つシールブロックを簡単に設置することができる。
【０００９】
これらの場合、シールブロックは、縦枠および防水パンにねじ止めされていることが、好ましい。
【００１０】
この構成によれば、シールブロックを強固に取り付けることができ、より一層シール性を高めることができる。
【００１１】
これらの場合、縦枠の浴室側部分には、防水パンに載り且つ背面側に「Ｕ」字状に屈曲した補強部が一体に形成され、シールブロックは、補強部に嵌合可能に構成されていることが、好ましい。
【００１２】
この構成によれば、シールブロックを組み込む際に、その位置決めを確実且つ簡単に行うことができる。また、シールブロックが補強部にも密着することで、より一層シール性を向上させることができる。
【００１３】
これらの場合、防水パンには、下枠を下側から支持する荷重受ブラケットが固定されていることが、好ましい。
【００１４】
この構成によれば、防水パンと下枠との一体性を高めることができ、シール部分に荷重が集中するのを、防止することができる。
【００１５】
【発明の実施の形態】
以下、添付図面を参照して、本発明の一実施形態に係る建具の防水パンへの取付構造について説明する。防水パンを浴室床とするこの浴室は、脱衣室との間に段差を無くしたバリアフリー設計のユニットバスで構成されており、浴室の防水パンと、枠体の下枠と、脱衣室の床とがほぼ面一に、すなわち段差が生じないように配設されている。図１は浴室（ユニットバス）の建具廻りの横断面図、図２は建具廻りの部分拡大斜視図であり、両図に示すように、防水パン１の建具２が臨む部分は、防水パン１の立上げ部３が、建具２の枠体４の幅に対応して切り欠かれている。
【００１６】
より具体的には、防水パン１は、周囲を２段に亘って立ち上げた立上げ部３を有し、建具２が取り付けられる部分には、最外端のリブ部５の近傍から立上げ部３にかけて切り欠いた切欠き部６が形成されている。この切欠き部６の見付け方向の切欠き幅は、建具２の枠体４の幅に、より厳密には、枠体４の両縦枠７の主要部間の幅に対応している。そして、この立上げ部３の内側に位置して、建具２の枠体４の外側に連なるように浴室Ａの側壁８が設けられている。
【００１７】
一方、防水パン１の切欠き部６に臨む建具２は、建具本体（図示省略）とこれを開閉自在に支持する枠体４とで構成されている。枠体４は、アルミニウムの形材で形成された上枠（図示省略）と、下枠９と、一対の縦枠７，７とを、四周枠組みして構成されている。また、切欠き部６に臨む下枠９から防水パン１の切欠き部６の縁端にかけて、その下側に荷重受ブラケット１０が当てがわれており、下枠９の防水パン１側は、この荷重受ブラケット１０により支持されている。
【００１８】
また、下枠９と防水パン１の切欠き部６の縁端との間には、湿式シール材１１が充填され、湿式シール材１１は、下枠９の上面と防水パン１の上面とに跨って配設されたカバー部材１２により、上側から覆われている。また、各縦枠７の背面側には、シールブロック１３が設けられている。すなわち、防水パン１と下枠９との間は、主に湿式シール材１１によりシールされ、防水パン１と各縦枠７との間は、主にシールブロック１３により、シールされている。なお、湿式シール材１１に代えて、乾式シール材を用いるようにしてもよい。
【００１９】
下枠９は、本体中空部２１と、本体中空部２１の上端から立ち上がって脱衣室Ｂ側に水平に延びる脱衣室見切り片部２２と、本体中空部２１の上端から浴室Ａ側に水平に延びるパン連結片部２３とで、一体に形成されている。パン連結片部２３の上面には、上記のカバー部材１２が掛け止めされる掛止め片部２４が一体に形成され、また本体中空部２１の上面には、一対のシール取付部２５，２５とレール部２６とが一体に形成されている。
【００２０】
縦枠７は、見込み方向に板状に延在する縦枠本体３１と、縦枠本体３１の脱衣室Ｂ側から内側に直角に延びるシール取付片部３２と、縦枠本体３１の浴室Ａ側を背面側に「Ｕ」字状断面とした補強片部３３とで、一体に形成されている。補強片部３３の下端部はわずかに切り欠かれており、この部分は防水パン１に載るように配設されている。そして、補強片部３３の下端と防水パン１との間には、上記の湿式シール材１１が連続するようにして充填されている。なお、補強片部３３の外側には、浴室Ａの側壁８が水密に連結されている。
【００２１】
荷重受ブラケット１０は、防水パン１のリブ部５と下枠９の本体中空部２１との間に嵌め込まれるように配設された中空部３５と、中空部３５の下端から水平に延び本体中空部２１の下面に当てがわれる水平片部３６と、中空部３５の下端からリブ部５に沿って下垂する下垂片部３７とで、一体に形成されている。そして、荷重受ブラケット１０はその下垂片部３７で、防水パン１のリブ部５にねじ止め固定されている。この場合、下枠９の浴室Ａ側部位は、そのパン連結片部２３が中空部３５に載置され、本体中空部２１の端部が水平片部３６に載置されるようにして、荷重受ブラケット１０に支持されている。
【００２２】
カバー部材１２は、荷重受ブラケット１０との間に、防水パン１の切欠き部６の縁端、湿式シール材１１および下枠９のパン連結片部２３を、上下に挟み込むようにして配設されている。カバー部材１２の浴室Ａ側の端部は傾斜面となっており、脱衣室Ｂ側の端部は上記の掛止め片部２４に掛け止めされるべく、下側に「コ」字状に屈曲している。そして、カバー部材１２を設置した状態では、防水パン１と下枠９の突合せ部分およびこの部分に充填した湿式シール材１１が、このカバー部材１２の内側に隠蔽される。
【００２３】
シールブロック１３は、ゴムなどで構成されており、縦枠７の背面側に接触する内側面（縦枠側密着面）４１とこれと反対側の外側面４２が平坦に形成されると共に、補強片部３３に面する前面４３も平坦に形成されている。一方、シールブロック１３の下面と後面とは、２段構造の防水パン１の立上げ部３と相補的な面に形成されている。そして、この相補面（パン側密着面）４４と前面４３とには、粘着剤付きのシール板４５である、いわゆるシーラが貼着されている。
【００２４】
このように構成されたシールブロック１３は、縦枠７の背面に添わせ且つ補強片部３３に嵌合するように配設されると共に、防水パン１の切欠き部６の両側に位置する切欠き縁部６ａに押し付けるように添わせて配設されている。この状態では、シールブロック１３の内側面４１が縦枠７の背面に密着する。また、シール板４５を介して、シールブロック１３の前面４３が縦枠７の補強片部３３に、且つシールブロック１３の相補面４４が防水パン１の切欠き縁部６ａに密着する。また、シールブロック１３の上面は、防水パン１の立上げ部３の上端とほぼ面一となる。そして、好ましくは、浴室Ａ側から螺合した固定ねじ４７と、脱衣室Ｂ側から螺合した固定ねじ４８とにより、シールブロック１３を、それぞれ縦枠７の補強片部３３および防水パン１の切欠き縁部６ａに固定する。
【００２５】
このような構成では、縦枠７の背面側において、縦枠７と防水パン１の切欠き縁部６ａとの間にシールブロック１３を介設しているため、この部分を広い面積をもってシールすることができる。しかも、シールブロック１３の前面４３と相補面４４に、粘着剤付きのシール板４５を介在するようにしているため、この部分が良好なシールラインとなり、防水パン１の立上げ部３と同等のシール性を発揮する。特に、浴槽が溢れ防水パン１上に排水が溜まった場合でも、縦枠７と防水パン１との間のシール性が損なわれることがない。このことはまた、縦枠７と防水パン１の切欠き縁部６ａとの間隙の広狭に関係なく、良好なシール性を達成できることを意味する。
【００２６】
また、シールブロック１３は、縦枠７の補強片部３３の内側に嵌合するようにして設置することができるため、シールブロック１３の位置決めが簡単で、シールブロック１３が位置ずれして設置されるのを、有効に防止することができる。
【００２７】
なお、シールブロックの内側面にも、上記のシール板を設けてもよい。また、縦枠の補強片部は、「Ｌ」字状であってもよい。
【００２８】
【発明の効果】
以上のように本発明の建具の防水パンへの取付構造によれば、シールブロックが、縦枠の下端部背面に密着すると共に、防水パンの切欠き縁部に密着するため、比較的広い面積でシールを行うことができ、切欠き部の側部切欠き端と縦枠の下端部背面との間に生ずる間隙の広狭に関わらず、この部分を確実にシールすることができる。
【図面の簡単な説明】
【図１】本発明の一実施形態に係る建具の防水パンへの取付構造を適用した浴室の建具廻りの横断面図である。
【図２】実施形態に係る建具の防水パンへの取付構造を適用した建具の縦枠下部廻りの部分拡大斜視図である。
【符号の説明】
１  防水パン、２  建具、３  立上げ部、４  枠体、６  切欠き部、６ａ  切欠き縁部、７  縦枠、９  下枠、１１  荷重ブラケット、１３  シールブロック、３１  縦枠本体、３３  補強片部、４１  内側面、４３  前面、４４  相補面、４５  シール板、４７，４８  固定ねじ、Ａ  浴室、Ｂ  脱衣室、
【図１】
0003554687.tif 000002
【図２】
0003554687.tif 000003